(57)【要約】  タバコ製品用パケットは、細長いタバコ製品の一群を収容する内箱であって底壁を備えた内箱と、内箱をタバコ製品の軸線に平行にスライド可能に収容する外箱とを備える。細長いタバコ製品の一群は内箱に少なくとも１列に並んで配置され、その端部に取り出し部分と、取り出し部分とは反対側にある端部分とを備える。内箱は格納位置と抽出又は持ち上げ位置との間でスライド可能であり、格納位置では内箱がその底壁を外箱の底壁に隣接させると共にタバコ製品の全てが内箱に完全に包含され、抽出又は持ち上げ位置では内箱が外箱の上壁近傍に位置する。内箱の底壁は、タバコ製品のうち少なくとも１本の端部分に当接する支持部分を形成し、外箱の上壁は開口部を備える。内箱の抽出又は持ち上げ位置に向かう各スライド動作により、支持部分に当接する少なくとも１本のタバコは外箱の上壁に向かって軸方向移動し、取り出し部分が開口部を介して外に出る。【選択図】図２
2015510854.tif 000002
【特許請求の範囲】
【請求項１】
タバコ製品の抜き出しを容易にするタバコ製品用パケットであって、前記タバコ製品用パケットは、
実質的に平行六面体の形状を有し、細長いタバコ製品（３）の一群（２）を収容する内箱（５）であって、前記細長いタバコ製品の一群は、少なくとも１列（４）に並んで配置され、前記細長いタバコ製品の一群の夫々がその端部に、手でつかむことが可能な取り出し部分と、前記取り出し部分とは反対側にある端部分とを備え、さらに前記内箱（５）は前記タバコ製品（３）の端部分に配置された底壁（７）を備える、内箱（５）と、
実質的に平行六面体の形状を有し、前記内箱（５）を前記タバコ製品（３）の軸線に平行にスライド可能に収容する外箱（６）であって、以て前記内箱（５）が格納位置と、抽出又は持ち上げ位置との間でスライドするのを可能にし、前記格納位置では前記内箱（５）が前記内箱の底壁（７）を前記外箱（６）の底壁に隣接させると共に前記タバコ製品（３）の全てが前記内箱（５）に完全に包含され、前記抽出又は持ち上げ位置では前記内箱（５）が外箱（６）の上壁近傍に位置する、前記外箱（６）と、を備え、
前記内箱（５）の前記底壁は、内箱（５）内にあるタバコ製品（３）のうち少なくとも１本の端部分に当接するように構成された支持部分（２６’）を形成し、
前記外箱（６）の上壁は開口部（２２）を備え、
更に、前記内箱（５）の実際に前記抽出又は持ち上げ位置に向かう各スライド動作によって、前記支持部分（２６’）に当接する少なくとも１本のタバコ（３）は外箱（６）の上壁に向かって軸方向移動し、前記タバコ製品（３）の取り出し部分が外箱（６）にある前記開口部（２２）を介して外に出ることを特徴とする、タバコ製品用パケット。
【請求項２】
前記支持部分（２６’）の寸法は前記内箱（５）の横断方向寸法よりも小さく、前記一群（４）のタバコ製品（３）の端部分によって占有されると共に支持部分（２６’）の近傍に位置することが可能な前記内箱（５）の基部の残りの部分は、開いた状態にあって支持部分（２６’）に当接しないタバコ製品（３）を前記外箱（６）の底壁（１３）に接触させることを特徴とする、請求項１に記載のタバコ製品用パケット。
【請求項３】
前記外箱（６）には追加の開口部（１９；３６）が設けられ、この開口部を介して喫煙者は手を使って内箱（５）に作用し、内箱を前記格納位置と前記抽出又は持ち上げ位置との間でスライド動作できることを特徴とする、請求項１又は２に記載のタバコ製品用パケット。
【請求項４】
前記追加の開口部（１９）は、前記外箱（６）の１つの大側壁（１５）と１つの小側壁（１８）を結合するエッジの実質的な中間領域に形成されることを特徴とする、請求項３に記載のタバコ製品用パケット。
【請求項５】
前記追加の開口部（１９）は、前記外箱（６）の１つの大側壁（１５）に形成されることを特徴とする、請求項３に記載のタバコ製品用パケット。
【請求項６】
前記追加の開口部（１９）は、前記外箱（６）の１つの小側壁（１５）に形成されることを特徴とする、請求項３に記載のタバコ製品用パケット。
【請求項７】
前記内箱（５）と一体でかつ前記追加の開口部（１９）を介して前記外箱（６）の外へと出るつかみ要素（３５）を備えることを特徴とする、請求項３から請求項６の何れか一項に記載のタバコ製品用パケット。
【請求項８】
前記つかみ要素は前記内箱（５）と一体なるタブ（３５）を備え、前記追加の開口部（１９）は前記外箱（６）に形成された垂直方向スリット（３６）を備えることを特徴とする、請求項７に記載のタバコ製品用パケット。
【請求項９】
前記内箱（５）の底壁は、引き裂き可能な弱め線（２６）がある下壁（７）によって形成され、前記弱め線は前記下壁（７）のある領域と前記支持部分（２６’）を形成する前記領域の外側にある下壁（７）の一部分との境界を定め、前記領域は接着剤によって前記外箱（６）の前記下壁（１３）に接続されることを特徴とする、請求項１から請求項８の何れか一項に記載のタバコ製品用パケット。
【請求項１０】
前記内箱（５）はタバコ製品（３）を前記支持部分（２６’）の作用域に向けて横断方向に押すように構成された弾性要素（３４）を収容することを特徴とする、請求項１から請求項９の何れか一項に記載のタバコ製品用パケット。
【請求項１１】
前記内箱（５）は、喫煙者に対して、前記外箱（６）の前記開口部（２２）からタバコ製品（３）を引き出す方法と、前記支持部分（２６’）上にタバコ製品（３）を次々に充填する方法を指示するグラフィカル・シンボル（Ｓ）を備えることを特徴とする、請求項１から請求項１０の何れか一項に記載のタバコ製品用パケット。
【発明の詳細な説明】
【技術分野】
【０００１】
本発明は、タバコ製品の取り出しを容易にするタバコ製品用パケットに関する。
【０００２】
以下の説明では、それによって本発明の範囲を制限することなく紙巻きタバコからなるタバコ製品を参照する。
【背景技術】
【０００３】
市場に存在したり、或いは未だ市場にはあらずとも特許文献に記述・例証されている数種のタバコパケットは外箱を備え、その外箱はタバコの一群を収納する内箱を格納している。
【０００４】
多くの場合、内箱は、初めは閉じられており、その中にあるタバコを取り出すためのパケットが開放される時に初めて引きちぎられて除去することのできる上方部分を備える。
【０００５】
往々にして、内箱はその内部にあるタバコ群に対して側方からある量の圧縮力を付与している。タバコのパケットが新品である場合、言い換えればパケットが含むタバコの一群が全数である場合、タバコ群にかかる側方の圧縮力は比較的高い可能性があり、そのタバコ群から最初のタバコを取り出すことは、そのタバコそれ自体とそれを取り囲むタバコとの間の摩擦力のせいで全く困難となる場合がある。
【０００６】
その一群から少なくとも１本のタバコ、更に必要なら他のタバコをも取り出すのを容易にするために提案された一つの解決策は、その群の中の少なくとも１本のタバコに引き出しテープを付け、テープの一端をタバコ群の上壁から突出させると共に、そのタバコを取り出せるようにテープの一端をつかんで引っ張れるようにデザインすることだった。
【０００７】
しかしながら、これら従来技術の引き出しテープは通常、つかまれるべきテープの端部とは反対側に位置するテープ内方端を内箱の一方の壁に接着しなければならない。このことは、タバコに接触するか、或いは接近した状態にある接着剤が揮発性物質を放つ可能性があり、それはタバコによって吸収されて紙巻きタバコのフレーバー及び／又は味を好ましくないものへと変えてしまう可能性があるという理由で、内側で包装されたタバコには常に接着剤がない状態でなければならないために大きな欠点を成すものである。
【発明の概要】
【発明が解決しようとする課題】
【０００８】
本発明は、上述した欠点を克服すると共に、実行が簡単かつ安価となるようなタバコ製品用パケットを提供することを目的とする。
【課題を解決するための手段】
【０００９】
したがって、本発明によれば、添付した特許請求の範囲に記載されたような、タバコ製品用パケットが提供される。
【００１０】
以下、添付図面を参照しながら、その非限定的な施形態に例にとり本発明を説明する。
【図面の簡単な説明】
【００１１】
【図１】本発明によるタバコ製品用パケットの斜視図であり、図１及び図２は、２つの異なる作動状況にある。
【図２】本発明によるタバコ製品用パケットの斜視図であり、図１及び図２は、２つの異なる作動状況にある、
【図３】図１及び図２のパケットの一部を形成し、２つの箱の内、内側にあるものの斜視図である。
【図４】図１及び図２のパケットの一部を形成し、２つの箱の内、外側にあるものの斜視図である。
【図５】図５及び図６は、図３及び図４のタバコ製品用のパケットを作成するために使用される２つのブランクの各平面図である。
【図６】図５及び図６は、図３及び図４のタバコ製品用のパケットを作成するために使用される２つのブランクの各平面図である。
【図７】図１から図６に記載のパケットの変形実施形態の斜視図である。
【図８】図１から図７に記載のパケットの更なる変形実施形態の斜視図である。
【図９】図８のタバコ製品のためのパケットを作成するために使用されるブランクの平面図である。
【発明を実施するための形態】
【００１２】
図１及び図２において番号１はタバコ製品のためのパケット全体を示している。好ましくは、パケット１はタバコのパケットであって、以下の説明では、簡潔のためにタバコのパケットを参照するが、それによって本発明の範囲を限定するものではない。
【００１３】
タバコのパケット１はタバコ３の一群２（図３も参照）を備えており、それらは好ましくは、互いに平行でかつ組になって並置されたタバコ３の列４からなり、さらにそれらのタバコは、１本のタバコ３をパケットから取り出すようなパケット１使用時、各タバコ３それ自体が各々の軸線を垂直にした状態で配置されるような列を成すために整列させられる。タバコ３は又、２つ以上の列４に並んで配置される場合もあり、各タバコはその端部に、手でつかめる取り出し部分と、その取り出し部分の反対側にある端部分を備える。
【００１４】
以下の説明において、「垂直」（及び類似の用語）なる用語は、説明上、パケット内のタバコが、より平易な抜き出しのために夫々の軸線を垂直にして配置されかつ、パケット１からタバコ３自体が引き出される領域がパケット１の上部に位置する状態において、パケット１によって取られた位置を記述するために使用される。同様に、「上方」及び「下方」（更に、「上部」や「下部」のような類似語）なる用語は、パケットが垂直位置にある時、パケット１の対応する部分を指定するために使用される。
【００１５】
タバコ３の一群２は硬質の内箱５の中に含まれ、同箱は、内箱５が外箱６の内側で最も低い位置にくるような格納位置（図１に示す）と、内箱５が外箱６の内側で最も高い位置にあって、内箱５から（上方に）部分的に引き出された位置にある１本のタバコ３を保持するような持ち上げ位置又はタバコ抽出位置（図２に示す）との間で、内箱が、厚紙又は同種のものからなる硬質な外箱６内で、まっすぐな垂直方向移動を伴って垂直方向双方向にスライドできるように収納されている。
【００１６】
内箱５（図３）は、実質上、“カップ”の形を伴った平行六面体形状であり、底壁７、互いに平行に向かい合った２つの大きな平行側壁８、及びこれら大側壁８の間に位置した２つの小さな平行側壁９、１０を備える。内箱５の開放した上端部１１は、小側壁１０の近傍で、一度に１本のタバコ３を引き出すための領域１２を形成し、内箱５が“持ち上げ”位置（その特徴及び目的は以下に説明する）にある時、その領域を介してパケット１からタバコ３を引き出すことができる。特に図４に示したように、外箱６も平行六面体形状であり、底壁１３、上壁１４、互いに平行に向かい合いかつ図４では夫々前後に位置する２つの大側壁１５、１６、及び２つの小側壁１７、１８（夫々、左右に位置する）を備える。
【００１７】
外箱６の側壁１５、１８が接するエッジに沿って実質上中間の領域には、外箱６それ自体を作り上げるブランク２０に作られたスロット１９を備える開口部があり、この開口部を介して喫煙者は内箱５のフロント領域２１に触れることができる。スロット１９の形状及びサイズは、喫煙者がそのスロット１９それ自体を介して内箱５のフロント領域２１に押し動作を付与できるようなものになっており、内箱を垂直方向双方向に移動させ、それを外箱６の中で上述した格納・持ち上げ位置間でスライドさせるようになっている。尚、ここでは図示しないがパケット１の変形実施形態として、スロット１９は、大側壁１５の一方のみ（好ましくは、前方側壁）に形成されたり、小側壁１８の一方に形成されたりする場合もあることに留意されたい。
【００１８】
喫煙者によって与えられる内箱５のフロント領域２１への手動押し動作を容易にするために、フロント領域２１の露出面にギザギザやその他の粗化機能を設けることも可能である。
【００１９】
外箱６の上壁１４は実質上、正方形となる開口部２２を備える。その開口部は、垂直方向においてタバコ３を引き出すための領域１２に並んでおり、実質上、図１及び図２の右側にあって外箱６のスロット１９に対向する内箱５の横断方向端部分の上に位置することになる。
【００２０】
タバコパケット１の箱５及び６の各々は、夫々図５及び図６に示された対応ブランク２３及び２０から得られる。各ブランク２３、２０は複数の要素から構成され、それらは可能なかぎり、各容器５又は６の対応要素を示すダッシュ無し参照番号と同じ参照番号（ダッシュ付き）で示されている。
【００２１】
図５を参照するに、ブランク２３は２本の長手方向弱め線２４と２本の横断方向弱め線２５を備え、それらによって（図の下から上にかけて）２本の長手方向弱め線２４の間に、一方の大側壁８を成すパネル８’、底壁７を成すパネル７’及び他方の大側壁８を成すパネル８’を形成している。
【００２２】
パネル８”は、図５の底部に位置し、左右に１組のサイドフラップ９’、１０’を夫々備え、それらは小側壁９、１０’の内側部分を構成すると共に、隣接するパネル８’の両側に位置し、パネル８’からは長手方向弱め線２４によって分離されている。同様に、図５の上側に位置するパネル８’は、左右に１組のサイドフラップ９”、１０”を夫々備え、それらは小側壁９、１０’の外方部分を構成すると共に、それらに隣接するパネル８’の両側に位置し、パネル８’からは長手方向の弱め線２４によって分離されている。
【００２３】
底壁７を構成するパネル７’には、図５においてその左側部分に、左に向かって凹んだ略“Ｕ”字状の弱め線２６が設けられ、その凹みはパネル７’それ自体の２つの対辺を定める２本の長手方向弱め線２５の各部分に重なる２本の対向する長辺２７を備えている。
【００２４】
弱め線２６は、パネル７’の右手に向けて、その端部から距離がタバコ３の直径より少し長くなるように延びる。パネル７’の右端部と弱め線２６との間に位置するパネル７’部分はこれ以降、参照番号２６’で示した“支持部分”と呼ぶことにする。
【００２５】
図６を参照するに、ブランク２０は２本の長手方向弱め線２８と、複数本の横断方向弱め線２９とを備え、それらによって（図の下から上にかけて）２本の長手方向弱め線２９の間に、一方の大側壁１５を成すパネル１５’、底壁１３を成すパネル１３’及び他方の大側壁１６を成すパネル１６’を形成している。
【００２６】
パネル１５’は、図６にあって左右夫々に１組のサイドフラップ１７’、１８’を備え、それらはパネル１５’それ自体の両側に位置し、パネル１５’からは長手方向の弱め線２８によって分離され、実質的に長方形であり、夫々が壁１７、１８の外側部分を構成している。同様に、パネル１６’は、図６にあって左右夫々に１組のサイドフラップ１７”、１８”を備え、それらはパネル１６’の両側に位置し、パネル１６’自体からは長手方向の弱め線２８によって隔てられ、実質的に長方形であり、夫々が壁１７、１８の内側部分を構成している。図６において上側にあるサイドフラップ１７’、１８’の横辺は、パネル１３’をパネル１５’から隔てる横断方向弱め線２９の端部分によって２枚のフラップ３０へと接続され、それらフラップは夫々フラップ１７”、１８”へと延びて、ほぼ接触した状態となる。パネル１５’、１６’の夫々は、図６の下部と上部に夫々、横辺を配置し、その横辺はパネル１３’の反対側に位置する各フラップ３１に接続され、これらフラップは横断方向の弱め線２９によって夫々のパネル１５’、１６’から分離されている。
【００２７】
横断方向弱め線２９の方向におけるフラップ３１の横寸法は、パネル１５’、１６’の横寸法よりも小さく、フラップ３１は各パネル１５’、１６’に対し、図６の右に位置してその幅がタバコ３の直径よりも僅かに大きい、パネル１５’、１６’の各側方部分を取り除いた形で配置される。パネル１５’の、図６の右側に位置するエッジに接続されるサイドフラップ１８’には、その長手方向中央域に、ブランク２０が延びる長手方向に平行に走り、かつその深さがフラップ１８’自身の幅の半分にほぼ等しい凹部３２が設けられる。 
【００２８】
パネル１６’と、図６の右側に位置するサイドフラップ１８”との接続領域は、その長手方向中央部に、ブランク２０が延びる長手方向に平行に走る略長方形の細長スロット３３によって遮断され、その長さは凹部３２の長さに実質上等しく、サイドフラップ１８”に対応するスロット部分の幅は凹部３２の幅に実質的に等しい。他方、パネル１６’上に位置するスロット部分の幅は、凹部３２の幅よりも大きいことが望ましく、実質的に７〜１０ｍｍに等しい。
【００２９】
図示しないが、本発明の変形実施形態として、スロット３３はパネル１６’上の如何なる位置に配置しても良く、図６に示したスロット３３の形状やサイズと異なるどんな場合であっても、任意の形状及びサイズを持つことが可能であることに留意されたい。
【００３０】
図５及び図６に示したブランク２０及び２３において、容器５、６を組み立てるために接着剤が塗布されなければならない部分について斜線領域として表されている。
【００３１】
内箱５は、各パネル８’をパネル７’自体に結合する横断方向の弱め線２５周りで、パネル７’に対し直角に各パネル８’を互いに向けて折り畳むことにより組み立てられる。次いで、サイドフラップ９’、１０’が、それらをパネル８’に結合する長手方向の弱め線２４周りで、２つのパネル８’間にある空間を覆うように直角に折り畳まれ、立ち代わってサイドフラップ９”、１０”が既に折り畳まれた状態にあるサイドフラップ９’、１０’の上に直角に折り畳まれる。上に明記したように、ブランク２３上の接着剤は、内箱５を、このようにして得られた形状に保持している。
【００３２】
外箱６は内箱５と同様な方法で組み立てられる。即ち、ここではパネル１５’、１６’がこれらをパネル１３’に結合する横断方向の弱め線２９周りで直角に折り畳まれ、サイドフラップ１７”、１８”が、これらが２枚のパネル１６’間にある空間を覆うように各フラップをパネル１６’に結合する長手方向の弱め線２８周りに直角に折り畳まれ、各フラップ３０がこれらを各フラップ１７’、１８’に結合する横断方向の弱め線２９周りで直角に折り畳まれてパネル１３’上に配置され、そしてサイドフラップ１７’、１８’が既に折り畳まれた状態にある各サイドフラップ１７’、１８’の上に直角に折り畳まれる。これらの作業は、既に組み立てられてその内側にタバコ列４を収納した状態にある内箱５の周りで外箱６を形作ることによって遂行される。外箱６が完成した際には、フラップ３１は外箱６を閉じるように、重なり合って互いに直角に折り畳まれる。上記したように、ブランク２０上の接着剤は、外箱６を、このようにして得られた形状に保持している。尚、内箱５の外側に位置するその面上にあって、弱め線２６内に封入された内箱５のパネル７’部分には、各箱５，６が組み立てられた後でこの部分を外箱６のパネル１３’に接着させる接着剤が設けられていることに留意されたい。
【００３３】
その結果として、ブランク２３は内箱５が作られている間は取り扱いが容易である。何故なら、弱め線２６が手つかずのままである限りにおいてはずっと底パネル７’が各パネル８’を互いに接続した状態であり、結果としてブランク２３に良好な形状安定性と充分な剛性を与えているからである。ひとたびパケット１が完成したならば、上述したように、そして以下に更に詳細に説明するように、初めて内箱５が外箱６内で上方にスライドさせられた際に、弱め線２６は引き裂かれ、内箱５は外箱６から完全に自由となり、内箱５の各壁８は、弱め線２６の外側にあるパネル７’の領域によってのみ互いに対し接続されたままとなる。その後は、内箱５は、弱め線２６の外側にあるパネル７’の領域だけを除いて、つまり壁７の支持部分２６’を除いて底が開口する。
【００３４】
換言すれば、上述したように、内箱５の底壁は、引き裂き可能な弱め線２６が同じ底壁７の領域を区切るように作られる底壁７によって形成される。その領域外にある底壁７の一部分が支持部分２６’を形作り、その領域は接着剤によって外箱６の下壁１３に接続される。
【００３５】
使用中、タバコ３を取り出す必要がない場合には、内箱５は、その底壁７が外箱６の底壁１３に接触するような最も低い格納位置を占めるはずである。これらの条件下で、仮にタバコ３の列４が実質上垂直面内に位置すると共に、タバコ３の各軸線が水平にならんだ状態でパケット１が配置されたならば、内箱５の内部にあるタバコ３は、それらの軸線に対して垂直に、内箱５の壁１０に向かって並進スライドすることができる。このスライドの結果として、内箱の壁１０に最も近いタバコ３は、壁１０それ自体に隣接する壁の領域の上方、言い換えれば支持部分２６’の上方に移動する。
【００３６】
パケット１からタバコ３を取り出すために、喫煙者がしなければならない全ては、内箱５のフロント領域２１上にある指を外箱６のスロット１９を介して押し、内箱５を格納位置から持ち上げ位置へと上方に付勢すること、及び壁７の支持部分２６’上にあるタバコ３の上方部分を外箱６の上壁１４の開口部２２から突き出させることである。
【００３７】
上に明記したように、内箱５の底は壁７の支持部分２６’を除いて開いた状態にあるため、列４内にある他のタバコ３は外箱６の底壁１３に接触した下降位置に留まる。
【００３８】
一旦、パケット１から部分的に突出するタバコ３が取り出されたならば、別のタバコ３を壁７の支持部分２６’上へと移動させるために、上述したようにフロント領域２１上の指を押すことで内箱５は元の格納位置まで戻されなければならない。
【００３９】
図７は、タバコ３が取り出された後、壁１０に向うタバコ３のスライドと、元の格納位置への内箱５の戻りが、弾性要素３４によって平易化された内箱５を示すものであり、その弾性要素３４は、（例えば）板紙やプラスチック材料からなるシートを（例えば）ジグザグ状に折り畳むことで作られるバネであり、内箱５内のタバコ３を壁１０に向けて、言い方を変えれば支持部分２６’の作用領域に向けて付勢できるバネを備えている。
【００４０】
図８はパケット１の別の変形実施形態を示しており、元の格納位置と持ち上げ位置との間の内箱５の双方向のスライドが、タブ３５からなるつかみ要素を上下に引くことで生じるようになっており、同タブは図９にも示したように、内箱５自体のブランク２３のフラップ１０’の側方エッジと一体になっており、パケット１では各ブランク２０に形成された垂直方向のスリット３６からなる開口部を介して外箱６から外へ出ている。
【００４１】
尚、図示しない本発明の変形実施形態では、支持部分２６’と引き出し領域１２のサイズについては、パネル７を延長したその長手方向に沿って測定した場合、タバコ３の直径の複数倍に実質的に等しいサイズとなり得ることに留意されたい。この場合、内箱５を上方に移動することで、２本以上のタバコ３の上方部分が領域１２を通って外にでることになる。そしてこれらタバコ３の内の１本を取り出した後は、喫煙者は内箱５を再度下げることになり、それにより部分的に突き出していた残りのタバコ３も外箱６の中に戻ることになる。
【００４２】
図示されない更なる変形実施形態では、内箱５内のタバコ３は又、単一列４ではなく２列以上並んだ状態で配置される場合もある。このような場合でも、支持部分２６’はその上に２本以上のタバコ３を並べる可能性があり、内箱５を上方に移動することで、２本以上のタバコ３の上方部分が領域１２を通って外にでることになるだろうし、これらタバコ３の内の１本を取り出した後は、喫煙者は内箱５を再度下げることになり、それにより部分的に突き出していた残りのタバコ３も外箱６の中に戻ることになる。
【００４３】
さらに別の実施形態では、上述した内箱５の壁８の刻み付けは、開口部２２を介したタバコ３の引き出し方法と支持部分２６’に次々とタバコ３を装填する方法を喫煙者に知らせるグラフィック・サインＳ（図１、図２のみに示す）によって達成されるか、或いはそれによって置換されるかもしれない。
【００４４】
そのグラフィック・サインＳは、好ましくは、引き出し領域１２を指し、タバコ３を引き出すためになされるべき内箱５のスライド方向を示す矢印Ａ（図１）と、矢印Ａとは反対方向を指し、支持部分２６’上に次のタバコ３を装填するためになされるべき内箱５のスライド方向を示す矢印Ｂ（図２）とにより形成される。
【００４５】
矢印Ａ、Ｂは外箱６のスロット１９を通して交互に見ることができる。具体的に言えば、内箱５が外箱６の中、下降位置にある時（図１）、矢印Ａは見ることができ、矢印Ｂは外箱６によって隠される。内箱５が持ち上げ位置へと移動された時、矢印Ａは外箱６によって隠され、矢印Ａはスロット１９を介して見ることができる。
【図１】
2015510854.tif 000003
【図２】
2015510854.tif 000004
【図３】
2015510854.tif 000005
【図４】
2015510854.tif 000006
【図５】
2015510854.tif 000007
【図６】
2015510854.tif 000008
【図７】
2015510854.tif 000009
【図８】
2015510854.tif 000010
【図９】
2015510854.tif 000011
【国際調査報告】
2015510854.tif 000012
2015510854.tif 000013
2015510854.tif 000014